【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  物体側から順に、明るさ絞りと、像側に凸面を向けた第１正メニスカスレンズと、両凹の第２負レンズと、第３正レンズの３枚のレンズからなることを特徴とする結像光学系。
【請求項２】  第３正レンズはプラスチックからなることを特徴とする請求項１記載の結像光学系。
【請求項３】  物体側から順に、明るさ絞りと、像側に凸面を向けた第１正メニスカスレンズと、両凹の第２負レンズと、第３正レンズの３枚のレンズからなる結像光学系を備えたことを特徴とする撮像装置。
【請求項４】  前記３枚のレンズの像側に配された撮像素子を備えたことを特徴とする請求項３記載の撮像装置。
【請求項５】  ３枚のレンズを各々単レンズとし、３枚のレンズにて形成される２つの空気レンズが、形状の異なる２つの屈折面に挟まれて構成されていることを特徴とする請求項３又は４記載の撮像装置。
【請求項６】  前記２つの空気レンズが形状の異なる２つの非球面に挟まれて構成されたことを特徴とする請求項５記載の撮像装置。
【請求項７】  物体側から順に、明るさ絞りと、像側の光軸上曲率半径の絶対値が物体側の光軸上曲率半径の絶対値よりも小さい正単レンズの第１正レンズと、像側の光軸上曲率半径の絶対値が物体側の光軸上曲率半径の絶対値よりも小さい負単レンズの第２負レンズと、正単レンズの第３正レンズの３枚の単レンズからなる結像光学系と、その像側に配された撮像素子とを有し、以下の条件を満足することを特徴とする撮像装置。
０．３０＜ｆ1 ／Ｉｈ＜０．９０                        ・・・（10）
−０. ７５＜ｆ2 ／Ｉｈ＜−０. １                      ・・・（３）
０．７０＜ｆ3 ／Ｉｈ＜２．００                        ・・・（11）
ただし、ｆ1 は第１正レンズの焦点距離、ｆ2 は第２負レンズの焦点距離、ｆ3 は第３正レンズの焦点距離、Ｉｈは最大像高である。
【請求項８】  物体側から順に、明るさ絞りと、像側の光軸上曲率半径の絶対値が物体側の光軸上曲率半径の絶対値よりも小さい正単レンズの第１正レンズと、像側の光軸上曲率半径の絶対値が物体側の光軸上曲率半径の絶対値よりも小さい負単レンズの第２負レンズと、正単レンズの第３正レンズの３枚の単レンズからなる結像光学系と、その像側に配された撮像素子とを有し、以下の条件を満足することを特徴とする撮像装置。
０．１＜ｆ1 ／ｆ＜０．４６                        ・・・（９−３）
−０．７５＜ｆ2 ／ｆ＜−０．２９                      ・・・（12）
０．４０＜ｆ3 ／ｆ＜０．８５                          ・・・（13）
ただし、ｆ1 は第１正レンズの焦点距離、ｆ2 は第２負レンズの焦点距離、ｆ3 は第３正レンズの焦点距離、ｆは全系の焦点距離である。
【請求項９】  次の条件式を満足することを特徴とする請求項３から８の何れか１項記載の撮像装置。
−０. ５＜（ｒ2f＋ｒ2r）／（ｒ2f−ｒ2r）＜０. ９８    ・・・（１）
ただし、ｒ2fは第２負レンズの物体側面の光軸上曲率半径、ｒ2rは第２負レンズの像側面の光軸上曲率半径である。
【請求項１０】  次の条件式を満足することを特徴とする請求項９記載の撮像装置。
０＜（ｒ2f＋ｒ2r）／（ｒ2f−ｒ2r）＜０. ９５      ・・・（１−１）
【請求項１１】  次の条件式を満足することを特徴とする請求項３から１０の何れか１項記載の撮像装置。
０. ０１＜ｒ1r／ｒ2f＜０. ７５                        ・・・（２）
ただし、ｒ1rは第１正レンズの像側面の光軸上曲率半径、ｒ2fは第２負レンズの物体側面の光軸上曲率半径である。
【請求項１２】  次の条件式を満足することを特徴とする請求項１１記載の撮像装置。
０. ０５＜ｒ1r／ｒ2f＜０. ６                      ・・・（２−１）
【請求項１３】  次の条件式を満足することを特徴とする請求項３から６、８〜１２の何れか１項記載の撮像装置。
−０. ７５＜ｆ2 ／Ｉｈ＜−０. １                      ・・・（３）
ただし、ｆ2 は第２負レンズの焦点距離、Ｉｈは最大像高である。
【請求項１４】  次の条件式を満足することを特徴とする請求項１３記載の撮像装置。
−０. ６＜ｆ2 ／Ｉｈ＜−０. ２５                  ・・・（３−１）
【請求項１５】  次の条件式を満足することを特徴とする請求項３から１４の何れか１項記載の撮像装置。
−５．０＜ｆ2-3 ／ｆ＜−０．１                        ・・・（４）
ただし、ｆ2-3 は第２負レンズと第３正レンズの合成焦点距離、ｆは全系の焦点距離である。
【請求項１６】  次の条件式を満足することを特徴とする請求項１５記載の撮像装置。
−２．０＜ｆ2-3 ／ｆ＜−０．３                    ・・・（４−１）
【請求項１７】  次の条件式を満足することを特徴とする請求項３から１６の何れか１項記載の撮像装置。
−０．８＜ｆ2 ／ｆ3 ＜−０．１                        ・・・（５）
ただし、ｆ2 は第２負レンズの焦点距離、ｆ3 は第３正レンズの焦点距離である。
【請求項１８】  次の条件式を満足することを特徴とする請求項１７記載の撮像装置。
−０．５＜ｆ2 ／ｆ3 ＜−０．２                    ・・・（５−１）
【請求項１９】  前記第２負レンズの物体側の面は非球面からなり、次の条件式を満たすことを特徴とする請求項２から１７の何れか１項記載の撮像装置。
０．０１＜｜（ｒ2fs ＋ｒ2fa ）／（ｒ2fs −ｒ2fa ）−１｜＜１００
・・・（６）
ただし、ｒ2fs は第２負レンズの物体側面における光軸上の曲率半径、ｒ2fa は第２負レンズの物体側面の非球面を考慮した曲率半径の中、光学有効範囲内で最も変化したときの値である。
【請求項２０】  次の条件式を満足することを特徴とする請求項１９記載の撮像装置。
０．０５＜｜（ｒ2fs ＋ｒ2fa ）／（ｒ2fs −ｒ2fa ）−１｜＜５．０
・・・（６−１）
【請求項２１】  前記第２負レンズの像側の面は非球面からなり、次の条件式を満足することを特徴とする請求項３から２０の何れか１項記載の撮像装置。
０．０１＜｜（ｒ2rs ＋ｒ2ra ）／（ｒ2rs −ｒ2ra ）−１｜＜１００
・・・（７）
ただし、ｒ2rs は第２負レンズの像側面における光軸上の曲率半径、ｒ2ra は第２負レンズの像側面の非球面を考慮した曲率半径の中、光学有効範囲内で最も変化したときの値である。
【請求項２２】  次の条件式を満足することを特徴とする請求項２１記載の撮像装置。
０．１＜｜（ｒ2rs ＋ｒ2ra ）／（ｒ2rs −ｒ2ra ）−１｜＜５．０
・・・（７−２）
【請求項２３】  次の条件式を満たすことを特徴とする請求項３から２２の何れか１項記載の撮像装置。
１０°＜α＜４０°                                    ・・・（８）
ただし、αは最大像高における主光線の像面への入射角度である。
【請求項２４】  次の条件式を満足することを特徴とする請求項２３記載の撮像装置。
１５°＜α＜３５°                                ・・・（８−１）
【請求項２５】  次の条件式を満足することを特徴とする請求項３から７、９〜２４の何れか１項記載の撮像装置。
０．１＜ｆ1 ／ｆ＜１．２                              ・・・（９）
ただし、ｆ1 は第１正レンズの焦点距離、ｆは全系の焦点距離である。
【請求項２６】  次の条件式を満足することを特徴とする請求項２５記載の撮像装置。
０．２＜ｆ1 ／ｆ＜０．７                          ・・・（９−１）
【請求項２７】  物体側から順に、明るさ絞りと、像側に凸面を向けた第１正メニスカスレンズと、第２負レンズと、第３正レンズの３枚のレンズからなる結像光学系を備え、次の条件式を満足することを特徴とする撮像装置。
−０. ７５＜ｆ2 ／Ｉｈ＜−０. １                      ・・・（３）
ただし、ｆ2 は第２負レンズの焦点距離、Ｉｈは最大像高である。
【請求項２８】  第３正レンズはプラスチックからなることを特徴とする請求項３から２７の何れか１項記載の撮像装置。